(57)【要約】【課題】インターネットを利用したお料理レシピ問い合わせシステムを提供する。【解決手段】このお料理レシピ問い合わせシステムは、各々インターネット１００を介して接続されている冷蔵庫１０、料理紹介システム２０、料理番組抽出録画装置３０及びレシピ提供者端末４０から構成されており、冷蔵庫１０内の食材を元に料理番組等からユーザの好みの料理方法を自動的に選出する機能及びユーザの人気メニューをテレビ局や料理愛好者へ送付する機能を有する。【選択図】　　　図１
2004086684.tif 000002
【特許請求の範囲】
【請求項１】
各々インターネットを介して接続されている冷蔵庫、料理紹介システム、料理番組抽出録画装置及びレシピ提供者端末から構成されており、前記冷蔵庫内の食材を元に料理番組等からユーザの好みの料理方法を自動的に選出する機能及びユーザの人気メニューをテレビ局や料理愛好者へ送付する機能を有することを特徴とするお料理レシピ問い合わせシステム。
【請求項２】
前記冷蔵庫が、野菜や肉及び魚介類等を保管して鮮度を保つ目的のものであり、前記料理紹介システムとの情報の送受信機能と、食材釦、現在の食材のストック一覧、人数、調理時間、ジャンル、及びメニューの表示をする表示画面と、食材毎の格納場所を保有して現在のストック量を自動判別し、前記表示画面に各々のストック量を表示する機能を有することを特徴とする請求項１記載のお料理レシピ問い合わせシステム。
【請求項３】
前記料理紹介システムが、予め契約されたユーザからの料理レシピ問い合わせに応答する目的のシステムであり、処理装置と料理レシピデータベース（以下、料理レシピＤＢ）とから構成されることを特徴とする請求項１記載のお料理レシピ問い合わせシステム。
【請求項４】
前記処理装置が、ワークステーションやサーバ等の情報処理装置であり、前記冷蔵庫内にストックされている食材の種類、量、希望料理のジャンル、人数及び調理時間等を元にユーザからの料理レシピの問い合わせに対して前記料理レシピＤＢから最適な料理レシピを取り出して前記インターネットを介して前記冷蔵庫へ送信する機能を有することを特徴とする請求項３記載のお料理レシピ問い合わせシステム。
【請求項５】
前記処理装置が、前記料理番組抽出録画装置及び前記レシピ提供者端末から前記インターネットを介して送付された料理法の動画や静止画をそのままの形態で前記料理レシピＤＢに格納する機能を有することを特徴とする請求項３または４記載のお料理レシピ問い合わせシステム。
【請求項６】
前記処理装置が、ユーザが実際に使った料理番組を予め決められた期間内で統計を取って人気のあった料理番組をテレビ局へ通知する機能を有することを特徴とする請求項３，４または５記載のお料理レシピ問い合わせシステム。
【請求項７】
前記処理装置が、人気のあった料理を紹介した料理愛好者等に対しても前記レシピ提供者端末へ通知して景品のカタログ等を送付する機能を有することを特徴とする請求項３，４，５または６記載のお料理レシピ問い合わせシステム。
【請求項８】
前記料理レピシＤＢが、前記料理番組抽出録画装置及び前記レシピ提供者端末から送付された料理レシピが格納されたデータベースであることを特徴とする請求項３記載のお料理レシピ問い合わせシステム。
【請求項９】
前記料理番組抽出録画装置が、テレビ番組から料理番組のみ抽出して録画し、前記イターネットを介して前記料理紹介システムへ送付する機能を有することを特徴とする請求項１記載のお料理レシピ問い合わせシステム。
【請求項１０】
前記レシピ提供者端末が、料理教室や料理愛好者からの料理法を動画や静止画にて前記インターネットを介して前記料理紹介システムへ送付する機能を有することを特徴とする請求項１記載のお料理レシピ問い合わせシステム。
【請求項１１】
ユーザの保有する冷蔵庫は料理紹介システムと予め料理法紹介の契約がされていて、料理番組抽出録画装置はテレビ番組で料理番組が放映される度に自動的にこの番組を抽出及び録画してインターネットを介して料理紹介システムへ送付し、料理紹介システムは送付された料理番組をビデオ録画のまま料理のジャンル別に整理して料理レシピＤＢに格納し、レシピ提供者端末は料理教室や料理愛好者からの料理法をビデオ映像や静止画等でインターネットを介して料理紹介システムへ送付し、料理紹介システムは送付された料理法を送付された形態のまま料理のジャンル別に整理して料理レシピＤＢに格納し、次にユーザは冷蔵庫の食材釦を押下し、冷蔵庫は冷蔵庫の保管場所から現在の食材のストック一覧を表示し、ユーザは料理に使用する食材を選択し、人数と調理時間及び料理のジャンルを選択して送信釦を押下し、インターネットを介して料理紹介システムへ送付し、料理紹介システムは送付された情報を元に料理レシピＤＢを検索し、ユーザの希望する料理レシピをインターネットを介して送付し、冷蔵庫の表示画面にはメニューに示す形式で表示し、ユーザは表示された料理レシピから希望する料理法を選択して送信釦を押下し、料理紹介システムは選択された料理レシピのビデオ画像や静止画をインターネットを介して冷蔵庫へ送付し、冷蔵庫は送付された料理レシピのビデオや画像を表示画面に表示して希望通りの内容であればこの画面を参照しながら料理することを特徴とするお料理レシピ問い合わせ方法。
【請求項１２】
ユーザは調理したものを味わった結果、気に入った場合は冷蔵庫の送信釦を押下して、インターネットを介して良好結果を送付し、料理紹介システムは複数のユーザからの返答を予め決められた期間格納し、料理紹介システムは予め決められた期間の格納された情報から人気のあった番組や調理法を選択し、人気番組は料理番組抽出録画装置へ、人気調理法は例えば景品カタログと一緒にレシピ提供者端末へインターネットを介して送付し、テレビ局では送付された人気番組を元に再放送や将来の番組の充実材料とし、レシピ提供者は送付された人気メニューや景品等で今後の更なる料理研究の励みの一環として終了することを特徴とするお料理レシピ問い合わせ方法。
【請求項１３】
各々インターネットを介して接続されている冷蔵庫、料理紹介システム、料理番組抽出録画装置及びレシピ提供者端末から構成され、前記冷蔵庫内の食材を元に料理番組等からユーザの好みの料理方法を自動的に選出する機能及びユーザの人気メニューをテレビ局や料理愛好者へ送付する機能を有するお料理レシピ問い合わせシステムの処理を実行させるためのお料理レピシ問い合わせ用プログラム。
【発明の詳細な説明】
【０００１】
【発明の属する技術分野】
本発明はお料理レシピ問い合わせシステム、お料理レシピ問い合わせ方法、及びお料理レシピ問い合わせ用プログラムに関し、特にインターネットを利用したお料理レシピ問い合わせシステム、お料理レシピ問い合わせ方法、及びお料理レシピ問い合わせ用プログラム関する。
【０００２】
【従来の技術】
従来、レシピを見て料理をする時は、まず本やテレビ等で材料を確認し、お店に足を運び、材料を購入してから作ることが多く、材料が余ってしまったり、いつまでも残ってしまう材料があったり、ある材料で何を作るか、悩んだりするケースが見受けられた。
【０００３】
【発明が解決しようとする課題】
この従来における第１の問題点は、冷蔵庫にある材料の分量で出来る料理を知ることが困難である、ということである。
【０００４】
第２の問題点は、レシピを検索するのに、本などで調べるため、時間がかかる、ということである。
【０００５】
第３の問題点は、本などでレシピを調べるため、選択範囲が狭い、ということである。
【０００６】
本発明の目的は、冷蔵庫内の食材を元に料理番組等からユーザの好みの料理方法を自動的に選出する機能及びユーザの人気メニューをテレビ局や料理愛好者へ送付する機能を有することを特徴とするお料理レシピ問い合わせシステム、お料理レシピ問い合わせ方法、及びお料理レシピ問い合わせ用プログラムを提供することにある。
【０００７】
【課題を解決するための手段】
本発明のお料理レシピ問い合わせシステムは、各々インターネットを介して接続されている冷蔵庫、料理紹介システム、料理番組抽出録画装置及びレシピ提供者端末から構成されており、前記冷蔵庫内の食材を元に料理番組等からユーザの好みの料理方法を自動的に選出する機能及びユーザの人気メニューをテレビ局や料理愛好者へ送付する機能を有する。
【０００８】
また、本発明のお料理レシピ問い合わせシステムは、前記冷蔵庫が、野菜や肉及び魚介類等を保管して鮮度を保つ目的のものであり、前記料理紹介システムとの情報の送受信機能と、食材釦、現在の食材のストック一覧、人数、調理時間、ジャンル、及びメニューの表示をする表示画面と、食材毎の格納場所を保有して現在のストック量を自動判別し、前記表示画面に各々のストック量を表示する機能を有することを特徴とする。
【０００９】
さらに、本発明のお料理レシピ問い合わせシステムは、前記料理紹介システムが、予め契約されたユーザからの料理レシピ問い合わせに応答する目的のシステムであり、処理装置と料理レシピデータベース（以下、料理レシピＤＢ）とから構成されることを特徴とする。
【００１０】
さらに、本発明のお料理レシピ問い合わせシステムは、前記処理装置が、ワークステーションやサーバ等の情報処理装置であり、前記冷蔵庫内にストックされている食材の種類、量、希望料理のジャンル、人数及び調理時間等を元にユーザからの料理レシピの問い合わせに対して前記料理レシピＤＢから最適な料理レシピを取り出して前記インターネットを介して前記冷蔵庫へ送信する機能を有することを特徴とする。
【００１１】
さらに、本発明のお料理レシピ問い合わせシステムは、前記処理装置が、前記料理番組抽出録画装置及び前記レシピ提供者端末から前記インターネットを介して送付された料理法の動画や静止画をそのままの形態で前記料理レシピＤＢに格納する機能を有することを特徴とする。
【００１２】
さらに、本発明のお料理レシピ問い合わせシステムは、前記処理装置が、ユーザが実際に使った料理番組を予め決められた期間内で統計を取って人気のあった料理番組をテレビ局へ通知する機能を有することを特徴とする。
【００１３】
さらに、本発明のお料理レシピ問い合わせシステムは、前記処理装置が、人気のあった料理を紹介した料理愛好者等に対しても前記レシピ提供者端末へ通知して景品のカタログ等を送付する機能を有することを特徴とする。
【００１４】
さらに、本発明のお料理レシピ問い合わせシステムは、前記料理レピシＤＢが、前記料理番組抽出録画装置及び前記レシピ提供者端末から送付された料理レシピが格納されたデータベースであることを特徴とする。
【００１５】
さらに、本発明のお料理レシピ問い合わせシステムは、前記料理番組抽出録画装置が、テレビ番組から料理番組のみ抽出して録画し、前記イターネットを介して前記料理紹介システムへ送付する機能を有することを特徴とする。
【００１６】
さらに、本発明のお料理レシピ問い合わせシステムは、前記レシピ提供者端末が、料理教室や料理愛好者からの料理法を動画や静止画にて前記インターネットを介して前記料理紹介システムへ送付する機能を有することを特徴とする。
【００１７】
さらに、本発明のお料理レシピ問い合わせ方法は、ユーザの保有する冷蔵庫は料理紹介システムと予め料理法紹介の契約がされていて、料理番組抽出録画装置はテレビ番組で料理番組が放映される度に自動的にこの番組を抽出及び録画してインターネットを介して料理紹介システムへ送付し、料理紹介システムは送付された料理番組をビデオ録画のまま料理のジャンル別に整理して料理レシピＤＢに格納し、レシピ提供者端末は料理教室や料理愛好者からの料理法をビデオ映像や静止画等でインターネットを介して料理紹介システムへ送付し、料理紹介システムは送付された料理法を送付された形態のまま料理のジャンル別に整理して料理レシピＤＢに格納し、次にユーザは冷蔵庫の食材釦を押下し、冷蔵庫は冷蔵庫の保管場所から現在の食材のストック一覧を表示し、ユーザは料理に使用する食材を選択し、人数と調理時間及び料理のジャンルを選択して送信釦を押下し、インターネットを介して料理紹介システムへ送付し、料理紹介システムは送付された情報を元に料理レシピＤＢを検索し、ユーザの希望する料理レシピをインターネットを介して送付し、冷蔵庫の表示画面にはメニューに示す形式で表示し、ユーザは表示された料理レシピから希望する料理法を選択して送信釦を押下し、料理紹介システムは選択された料理レシピのビデオ画像や静止画をインターネットを介して冷蔵庫へ送付し、冷蔵庫は送付された料理レシピのビデオや画像を表示画面に表示して希望通りの内容であればこの画面を参照しながら料理することを特徴とする。
【００１８】
さらに、本発明のお料理レシピ問い合わせ方法は、ユーザは調理したものを味わった結果、気に入った場合は冷蔵庫の送信釦を押下して、インターネットを介して良好結果を送付し、料理紹介システムは複数のユーザからの返答を予め決められた期間格納し、料理紹介システムは予め決められた期間の格納された情報から人気のあった番組や調理法を選択し、人気番組は料理番組抽出録画装置へ、人気調理法は例えば景品カタログと一緒にレシピ提供者端末へインターネットを介して送付し、テレビ局では送付された人気番組を元に再放送や将来の番組の充実材料とし、レシピ提供者は送付された人気メニューや景品等で今後の更なる料理研究の励みの一環として終了することを特徴とする。
【００１９】
さらに、本発明のお料理レピシ問い合わせ用プログラムは、各々インターネットを介して接続されている冷蔵庫、料理紹介システム、料理番組抽出録画装置及びレシピ提供者端末から構成され、前記冷蔵庫内の食材を元に料理番組等からユーザの好みの料理方法を自動的に選出する機能及びユーザの人気メニューをテレビ局や料理愛好者へ送付する機能を有するお料理レシピ問い合わせシステムの処理を実行させる。
【００２０】
【発明の実施の形態】
本発明はインターネットを利用した料理レシピの問い合わせに関する発明であり、野菜や肉及び魚介類等のストック量検出機能付き冷蔵庫と、テレビの料理番組や料理愛好者等からの料理方法を格納する手段とで構成され、冷蔵庫内の食材を元に料理番組等からユーザの好みの料理方法を自動的に選出する機能及びユーザの人気メニューをテレビ局や料理愛好者へ送付する機能を有することを特徴とするお料理レシピ問い合わせシステム、お料理レシピ問い合わせ方法、及びお料理レシピ問い合わせ用プログラムに関する。
【００２１】
次に、本発明の実施の形態について図面を参照して詳細に説明する。
【００２２】
本発明の一実施の形態をブロックで示す図１を参照すると、この実施の形態のお料理レシピ問い合わせシステムは、冷蔵庫１０、料理紹介システム２０、料理番組抽出録画装置３０及びレシピ提供者端末４０から構成されており、各々インターネット１００を介して接続されている。
【００２３】
冷蔵庫１０は野菜や肉及び魚介類等を保管して鮮度を保つ目的の冷蔵庫であり、次の機能を有する。
▲１▼インターネット１００に接続し、料理紹介システム２０との情報の送受信機能を有する。
▲２▼図２に一例を示すような表示画面を有する。
▲３▼図３に一例を示すように食材毎の格納場所を保有して現在のストック量を自動判別し、図２に示した表示画面に各々のストック量を表示する機能を有する。
【００２４】
料理紹介システム２０は予め契約されたユーザからの料理レシピ問い合わせに応答する目的のシステムであり、図４に示す通り処理装置２０１と料理レシピデータベース（以下、料理レシピＤＢ）２０２とから構成されている。
【００２５】
処理装置２０１はワークステーションやサーバ等の情報処理装置であり、冷蔵庫１０内にストックされている食材の種類、量、希望料理のジャンル、人数及び調理時間等を元にユーザからの料理レシピの問い合わせに対して料理レシピＤＢ２０２から最適な料理レシピを取り出してインターネット１００を介して冷蔵庫１０へ送信する機能を有する。
【００２６】
また、処理装置２０１は料理番組抽出録画装置３０及びレシピ提供者端末４０からインターネット１００を介して送付された料理法の動画や静止画をそのままの形態で料理レシピＤＢ２０２に格納する機能を有する。
【００２７】
さらに、処理装置２０１はユーザが実際に使った料理番組を予め決められた期間内で統計を取って人気のあった料理番組をテレビ局へ通知する機能を有する。また人気のあった料理を紹介した料理愛好者等に対してもレシピ提供者端末４０へ通知して景品のカタログ等を送付する機能を有する。
【００２８】
料理レシピＤＢ２０２は料理番組抽出録画装置３０及びレシピ提供者端末４０から送付された料理レシピが格納されたデータベースである。
【００２９】
料理番組抽出録画装置３０はテレビ番組から料理番組のみ抽出して録画し、イターネット１００を介して料理紹介システム２０へ送付する機能を有する処理装置である。
【００３０】
レシピ提供者端末４０は料理教室や料理愛好者からの料理法を動画や静止画にてインターネット１００を介して料理紹介システム２０へ送付する機能を有する。
【００３１】
次に、図１、図２、図３、図４、図５及び図６を用いて本発明の動作を詳細に説明する。
【００３２】
ユーザの保有する冷蔵庫１０は料理紹介システム２０と予め料理法紹介の契約がされていることを前提とする。
【００３３】
料理番組抽出録画装置３０はテレビ番組で料理番組が放映される度に自動的にこの番組を抽出及び録画してインターネット１００を介して料理紹介システム２０へ送付する（ステップＡ１）。
【００３４】
料理紹介システム２０は送付された料理番組をビデオ録画のまま料理のジャンル別に整理して料理レシピＤＢ２０２に格納する（ステップＡ２）。
【００３５】
レシピ提供者端末４０は料理教室や料理愛好者からの料理法をビデオ映像や静止画等でインターネット１００を介して料理紹介システム２０へ送付する（ステップＡ３）。
【００３６】
料理紹介システム２０は送付された料理法を送付された形態のまま料理のジャンル別に整理して料理レシピＤＢ２０２に格納する（ステップＡ４）。
【００３７】
次にユーザは冷蔵庫１０の図２に示す食材釦１０１を押下する（ステップＡ５）。
【００３８】
冷蔵庫１０は図３に示す冷蔵庫の保管場所から図２に示すように現在の食材のストック一覧１０２を表示する（ステップＡ６）。
【００３９】
ユーザは料理に使用する食材を選択し（図２に示す料理材料欄から選択）、人数１０３と調理時間１０４及び料理のジャンル１０５（図２に示すジャンル参照）を選択して送信釦１０７を押下し（ステップＡ７）、インターネット１００を介して料理紹介システム２０へ送付する。
【００４０】
料理紹介システム２０は送付された情報を元に料理レシピＤＢ２０２を検索し、ユーザの希望する料理レシピをインターネット１００を介して送付する（ステップＡ８）。
冷蔵庫１０の表示画面には図２のメニュー１０６に示す形式で表示する（ステップＡ９）。
ユーザは表示された料理レシピから希望する料理法（図２のメニュー　レ項参照）を選択して送信釦１０７を押下する（ステップＡ１０）。
料理紹介システム２０は選択された料理レシピのビデオ画像や静止画をインタネット１００を介して冷蔵庫１０へ送付する（ステップＡ１１）。
【００４１】
冷蔵庫１０は送付された料理レシピのビデオや画像を表示画面に表示して希望通りの内容であればこの画面を参照しながら料理する（ステップＡ１２）。
なお、冷蔵庫１０には表示画面をそのまま保存して再生して見ることが出来る機能も有している。この時、希望した内容でなければ別の料理法を選択して再度料理紹介システム２０に対して別のレシピを要求する。このような手順でユーザの気に入った料理法を確定して調理する。
【００４２】
次に調理後の動作について説明する。
【００４３】
ユーザは調理したものを味わった結果、気に入った場合は冷蔵庫１０の送信釦１０７を押下して（ステップＡ１３）、インターネット１００を介して良好結果を送付する。
【００４４】
料理紹介システム２０は複数のユーザからの返答を予め決められた期間格納する（ステップＡ１４）。
【００４５】
料理紹介システム２０は予め決められた期間の格納された情報から人気のあった番組や調理法を選択し、人気番組は料理番組抽出録画装置３０へ（ステップＡ１５）、人気調理法は例えば景品カタログと一緒にレシピ提供者端末４０へインターネット１００を介して送付する（ステップＡ１７）。
【００４６】
テレビ局では送付された人気番組を元に再放送や将来の番組の充実材料とし（ステップＡ１６）、レシピ提供者は送付された人気メニューや景品等で今後の更なる料理研究の励みの一環として（ステップＡ１８）本発明は終了する（ステップＡ１９）。
【００４７】
【発明の効果】
以上説明したように、本発明の第１の効果は、冷蔵庫にある材料の分量で出来る料理を知ることができる、ということである。
【００４８】
第２の効果は、本などで調べなくても、短時間で充実したレシピを検索することができる、ということである。
【００４９】
第３の効果は、複数のレシピから自在に選択出来るので、選択範囲が広くなる、ということである。
【００５０】
第４の効果は、動画や写真等も掲載されるので、イメージがわかるし、使う料理の量、料理のジャンル、調理時間、カロリー等も指定できるので、ライフスタイルに合った料理を作ることができる、ということである。
【００５１】
第５の効果は、１年中いつでもアクセス出来るので時間の制約がない、ということである。
【００５２】
第６の効果は、コンピュータの処理であるので、早く正確でミスが発生しない、ということである。
【００５３】
第７の効果は、人気メニューを選別するのでテレビ局では今後のテレビ番組の向上材料として料理愛好者等には今後の励みの材料として有効である、ということである。
【図面の簡単な説明】
【図１】本発明の一実施の形態の構成を示すブロック図である。
【図２】この実施の形態の冷蔵庫の表示画面の一例である。
【図３】この実施の形態の冷蔵庫内の食材保管場所の一例である。
【図４】この実施の形態の料理紹介システムの構成図である。
【図５】この実施の形態の料理するまでの動作のフローチャートである。
【図６】この実施の形態の調理後の動作のフローチャートである。
【符号の説明】
１０　　冷蔵庫
２０　　料理紹介システム
３０　　料理番組抽出録画装置
４０　　レシピ提供者端末
１００　　インターネット
１０１　　食材釦
１０２　　ストック一覧
１０３　　人数
１０４　　調理時間
１０５　　ジャンル
１０６　　メニュー
２０１　　処理装置
２０２　　料理レシピＤＢ
【図１】
2004086684.tif 000003
【図２】
2004086684.tif 000004
【図３】
2004086684.tif 000005
【図４】
2004086684.tif 000006
【図５】
2004086684.tif 000007
【図６】
2004086684.tif 000008